(57)【要約】【課題】主軸の工具取付部および工具の熱膨張による工具の引き込み量を正確に見積もることができ、高い精度で工具位置を補正することが可能で、ワークの加工精度を効率的に向上させ得る工作機械の工具位置補正方法を提供する。【解決手段】本発明に係る工具位置補正方法は、主軸のテーパ部の温度とベッドの温度とを検出し、それらの検出温度の差から主軸のテーパ部の温度上昇値を算出する第一ステップ（Ｓ１，Ｓ２）と、予め求めた主軸のテーパ部の熱膨張に起因した工具の引き込み量と主軸のテーパ部の温度上昇値との対応関係に基づいて、第一ステップにおいて算出された温度上昇値に対応した工具の引き込み量を算出する第二ステップ（Ｓ３〜Ｓ６）と、算出された工具の引き込み量だけ工具位置を補正する第三ステップ（Ｓ７）とを有している。【選択図】図５
2010172981.tif 000002
【特許請求の範囲】
【請求項１】
主軸の工具を装着する部分がテーパ状に形成された工作機械において前記工具の装着位置を補正するための方法であって、
主軸の工具装着部分または工具装着部分の近傍の温度を用いて主軸の工具装着部分の温度上昇値を算出する第一ステップと、
予め求めた主軸の工具装着部分および工具の熱膨張に起因した工具の引き込み量と主軸の工具装着部分の温度上昇値との対応関係に基づいて、第一ステップにおいて算出された温度上昇値に対応した工具の引き込み量を算出する第二ステップと、
算出された工具の引き込み量だけ工具位置を補正する第三ステップとを有することを特徴とする工作機械の工具位置補正方法。
【請求項２】
主軸を回転して使用する切削用の工具と、主軸を回転せずに使用する測定用の工具との二種類の工具について、それぞれ、前記対応関係を予め求めておき、
主軸に装着した工具の種類に応じて、工具の引き込み量の算出に用いる前記対応関係の種類を切り替えることを特徴とする請求項１に記載の工作機械の工具位置補正方法。
【請求項３】
前記第二ステップにおいて主軸の工具装着部分の熱膨張に起因した工具の引き込み量を算出する際に、
主軸の温度上昇がない状態における工具の引き込み量、および、主軸の温度上昇が安定したときの工具の引き込み量を測定し、それらの差を、主軸の工具装着部分の熱膨張に起因した工具の引き込み量を算出することを特徴とする請求項１、または請求項２に記載の工作機械の工具位置補正方法。
【請求項４】
前記第二ステップにおいて前記対応関係に基づいて温度上昇値に対応した工具の引き込み量を算出する際に、
主軸を複数の種類の回転数で回転させた各場合について、主軸の温度上昇がない状態における工具の引き込み量と、主軸の温度上昇が安定したときの工具の引き込み量との差を、主軸の工具装着部分の熱膨張に起因した工具の引き込み変位量として求め、
それらの各場合における主軸の温度上昇値と工具の引き込み変位量とから、前記対応関係として、温度上昇値を変数とした引き込み変位量の近似式を求め、その近似式に基づいて温度上昇値に対応した工具の引き込み量を算出することを特徴とする請求項１、または請求項２に記載の工作機械の工具位置補正方法。
【請求項５】
前記第一ステップにおいて、主軸の工具装着部分の温度上昇値は、主軸の工具装着部分に近い主軸軸受近傍の温度上昇値より求めることを特徴とする請求項１、または請求項２に記載の工作機械の工具位置補正方法。
【発明の詳細な説明】
【技術分野】
【０００１】
本発明は、工作機械において、主軸の工具取付部および工具の熱膨張による引き込みに起因した工具位置のズレを補正するための工具位置補正方法に関するものである。
【背景技術】
【０００２】
マシニングセンタ等の工作機械の中には、主軸の先端の内側にテーパ部が設けられており、当該テーパ部によって、基端に円錐台状のテーパ部を設けた工具を把持するように構成されたものがある。かかる工作機械においては、主軸の回転数が数万ｍｉｎ−１レベルにまで到達すると、遠心力によって主軸のテーパ部が膨張し、工具の引き込み現象（工具が主軸の内部に入り込む現象）が発生する。
【０００３】
図６は、主軸を所定の回転速度（１２，０００ｍｉｎ−１）で回転させた場合の切削工具の引き込みの様子を示したものである。主軸の先端の内側のテーパ部には、基端にテーパ部を設けた切削工具が把持されており、主軸の回転前においては、切削工具の鍔部と主軸の先端面との間が所定の長さ（Ｘａ）になっている（図６（ａ）の状態）。そして、主軸を回転させると、回転に伴う遠心力に起因して所定量（約４０μｍ）の切削工具の引き込みが生じる（図６（ｂ）の状態）。この切削工具の引き込みは、ワークの加工精度が悪化する原因となるため、主軸を一旦回転させて引き込ませた後に、工具長を測定して位置補正することが一般に行われる。また、個々の工作機械について工具の引き込み量と主軸の回転数との対応関係を予め求めておき、当該対応関係から、所望する主軸の回転数に対応した工具の引き込み量を算出し、その引き込み量に基づいて工具位置を補正する方法も知られている（特許文献１）。
【先行技術文献】
【特許文献】
【０００４】
【特許文献１】特公平８−７６１４号公報
【発明の概要】
【発明が解決しようとする課題】
【０００５】
しかし、遠心力によって工具が引き込まれた状態（図６（ｂ））から、所定時間（約１時間）に亘って主軸を回転させると、回転に伴う発熱によって主軸および切削工具の温度が上昇する（約７℃）。そして、そのように主軸および切削工具の温度が上昇すると、主軸のテーパ部と切削工具のテーパ部がともに熱膨張するが、主軸のテーパ部の熱膨張量が切削工具のテーパ部の熱膨張量を上回るために、切削工具が回転直後（図６（ｂ）の状態）よりもさらに所定の長さ（約２０μｍ）だけ内部へ引き込まれる（図６（ｃ）の状態）。
【０００６】
一方、図７は、ワーク原点を測定するためのタッチプローブ等の測定工具の引き込みの様子を示したものであり、主軸の回転前においては、測定工具の鍔部と主軸の先端面との間が所定の長さ（Ｙｄ）になっている（図７（ａ）の状態）。測定工具を装着する場合には、主軸を回転させることがないため、遠心力に起因した引き込みは発生しないが、切削工具による切削加工を繰り返した後に、測定工具を主軸に装着した場合には、当該測定工具は、主軸の回転前よりも内部に引き込まれた状態で装着されることとなる。すなわち、一旦、測定工具を取り外して切削工具を装着し、所定時間（約１時間）に亘って主軸を所定の回転速度（１２，０００ｍｉｎ−１）で回転させると、回転に伴う発熱によって主軸の温度が上昇して（約７℃）テーパ部が熱膨張する。そのため、切削工具を取り外して測定工具を装着した場合には、当該測定工具は、所定の長さ（約２５μｍ）だけ引き込まれた状態で装着されることとなる（図７（ｂ）の状態）。
【０００７】
上記の如く、遠心力だけではなく、主軸のテーパ部や切削工具の熱膨張によっても切削工具の引き込みは発生し、ワークの加工精度が悪化する原因となる。また、測定工具の引き込みは、ワーク原点測定時においてワーク原点位置のズレに直結し、切削工具の引き込みと同様に、ワークの加工精度を悪化させる原因となる。
【０００８】
本発明の目的は、上記した主軸のテーパ部や工具の熱膨張による工具の引き込みによる工具位置を補正することが可能な工作機械の工具位置補正方法を提供することにある。
【課題を解決するための手段】
【０００９】
かかる本発明の内、請求項１に記載された発明は、主軸の工具を装着する部分がテーパ状に形成された工作機械において前記工具の装着位置を補正するための方法であって、主軸の工具装着部分または工具装着部分の近傍の温度を用いて主軸の工具装着部分の温度上昇値を算出する第一ステップと、予め求めた主軸の工具装着部分および工具の熱膨張に起因した工具の引き込み量と主軸の工具装着部分の温度上昇値との対応関係に基づいて、第一ステップにおいて算出された温度上昇値に対応した工具の引き込み量を算出する第二ステップと、算出された工具の引き込み量だけ工具位置を補正する第三ステップとを有することを特徴とするものである。
【００１０】
請求項２に記載された発明は、請求項１に記載された発明において、主軸を回転して使用する切削用の工具と、主軸を回転せずに使用する測定用の工具との二種類の工具について、それぞれ、前記対応関係を予め求めておき、主軸に装着した工具の種類に応じて、工具の引き込み量の算出に用いる前記対応関係の種類を切り替えることを特徴とするものである。
【００１１】
請求項３に記載された発明は、請求項１、または請求項２に記載された発明において、前記第二ステップにおいて主軸の工具装着部分の熱膨張に起因した工具の引き込み量を算出する際に、主軸の温度上昇がない状態における工具の引き込み量、および、主軸の温度上昇が安定したときの工具の引き込み量を測定し、それらの差を、主軸の工具装着部分の熱膨張に起因した工具の引き込み量を算出することを特徴とするものである。
【００１２】
請求項４に記載された発明は、請求項１、または請求項２に記載された発明において、前記第二ステップにおいて前記対応関係に基づいて温度上昇値に対応した工具の引き込み量を算出する際に、主軸を複数の種類の回転数で回転させた各場合について、主軸の温度上昇がない状態における工具の引き込み量と、主軸の温度上昇が安定したときの工具の引き込み量との差を、主軸の工具装着部分の熱膨張に起因した工具の引き込み変位量として求め、それらの各場合における主軸の温度上昇値と工具の引き込み変位量とから、前記対応関係として、温度上昇値を変数とした引き込み変位量の近似式を求め、その近似式に基づいて温度上昇値に対応した工具の引き込み量を算出することを特徴とするものである。
【００１３】
請求項５に記載された発明は、請求項１、または請求項２に記載された発明において、前記第一ステップにおいて、主軸の工具装着部分の温度上昇値を算出するための具体的な方法として、主軸の工具装着部分に近い主軸軸受近傍の温度上昇値より求める方法を採用したことことを特徴とするものである。
【発明の効果】
【００１４】
請求項１の工具位置補正方法は、主軸のテーパ部の熱膨張に起因した工具の引き込み量を正確に求めて、その引き込み量だけ工具位置を補正するものであるので、当該補正方法によれば、先端のテーパ部のみを主軸に把持させる工具においても、非常に高い精度で工具位置を補正することができる。
【００１５】
請求項２の工具位置補正方法は、切削工具と測定工具との二種類の工具について、それぞれ、主軸のテーパ部の熱膨張に起因した引き込み量を正確に求めて、その引き込み量だけ工具位置を補正するものであるので、当該補正方法によれば、主軸のテーパ部の熱膨張による測定工具の引き込みに起因して生じていたワークの加工前の初期設定時におけるワーク原点位置のばらつきをも低減させることができる。
【００１６】
請求項３の工具位置補正方法は、主軸の温度上昇がない状態における工具の引き込み量と主軸の温度上昇が安定したときの工具の引き込み量との差を、熱膨張に起因した工具の引き込み量とするものであるので、当該補正方法によれば、きわめて高い精度で工具位置を補正することができる。
【００１７】
請求項４の工具位置補正方法は、予め求めた温度上昇値を変数とした引き込み変位量の近似式に基づいて温度上昇値に対応した工具の引き込み量を算出するものであるので、当該補正方法によれば、実績のない運転条件で工作機械を作動させる際の工具の補正量をも正確に推定することができる。
【００１８】
請求項５の工具位置補正方法は、回転する主軸の工具装着部分の温度を検出しなくても工具装着部分の温度上昇値を算出することができるため、埋め込み式や接触式の温度センサといった比較的に安価な検出手段で工具位置を補正することができる。
【図面の簡単な説明】
【００１９】
【図１】工具位置補正装置の構成を示す説明図である。
【図２】切削工具の引き込み量の測定手順を示す説明図である。
【図３】測定工具の引き込み量の測定手順を示す説明図である。
【図４】記憶装置に記憶された主軸の温度上昇と工具の引き込み量との対応データを示す説明図である。
【図５】工具の位置補正を行う際の処理内容を示すフローチャートである。
【図６】切削工具の引き込みの様子を示す説明図である。
【図７】測定工具の引き込みの様子を示す説明図である。
【発明を実施するための形態】
【００２０】
以下、本発明に係る工作機械の工具位置補正方法について、立形マシニングセンタにおける工具位置の補正例を一例として、図面に基づいて詳細に説明する。
【００２１】
＜工具位置補正装置の構成＞
図１は、マシニングセンタにおいて工具位置を補正するための工具位置補正装置の構成を示す説明図であり、ＮＣ工作機械であるマシニングセンタＭは、主軸へツド１、コラム２、主軸３、ベッド４、移動テーブル５等から構成されている。また、主軸３の軸受外周部には、主軸３の温度を測定するための第１温度センサ６が取り付けられており、ベッド４には、温度（基準温度）を測定するための第２温度センサ７が取り付けられている。
【００２２】
さらに、マシニングセンタＭには、所定のタイミングで第１温度センサ６および第２温度センサ７によって主軸３およびベッド４の温度を測定するための制御装置である温度測定装置８、主軸３の温度上昇と引き込み量との関係をデータあるいは式（近似式等）で記憶する記憶装置１０、主軸３およびベッド４の測定温度から補正量を演算する補正量演算装置９等が接続されている。そして、当該補正量演算装置９が、マシニングセンタＭの作動を制御するＮＣ装置１１に接続された状態になっている。
【００２３】
また、図２、図３は、それぞれ、切削工具あるいは測定工具を装着した主軸３の作動前後の様子を示したものであり、主軸３の先端の内側（工具把持部分）にはテーパ部Ｔｃが設けられており、基端に円錐台状のテーパ部Ｔａを設けた切削工具１３（あるいは測定工具１４）を把持することができるようになっている。
【００２４】
＜熱膨張による各工具の引き込み量の算出＞
以下、主軸３の回転時の温度上昇による主軸３のテーパ部Ｔｃの熱膨張による各工具（切削工具１３あるいは測定工具１４）の引き込み量の測定について説明する。
【００２５】
＜切削工具１３の引き込み量の算出＞
主軸３のテーパ部Ｔｃの熱膨張による切削工具１３の引き込み量を求める場合には、まず、切削工具１３を装着した後に主軸３を回転させて、主軸３のテーパ部Ｔｃの熱膨張によって切削工具１３を引き込ませた後に、主軸３を停止させる（図２（ｂ）の状態）。
【００２６】
そして、主軸を停止させた直後に、切削工具１３の鍔面の位置および主軸３の先端面の位置をミリメス等によって測定し、切削工具１３の鍔面と主軸３の先端面との間の距離を算出する（この場合の距離をＸｂとする）。なお、主軸３の先端面の位置を測定する際には、測定の精度を向上させるために、一旦、切削工具１３を取り外すのが好ましい。
【００２７】
しかる後、切削工具１３を装着した状態で、主軸３を所定の回転速度（たとえば、１２，０００ｍｉｎ−１）で温度が安定するまで回転させ、上記した方法と同様な方法によって、切削工具１３の鍔面と主軸３の先端面との間の距離（この場合の距離をＸｃとする）を求め、当該距離の変化量（すなわち、Ｘｂ−Ｘｃ）を主軸３のテーパ部Ｔｃの熱膨張による「切削工具１３の引き込み量」として算出する。また、温度測定装置８による制御に基づいて、第１温度センサ６、第２温度センサ７によって、温度が安定した際の主軸３の温度およびベッド４の温度を、それぞれ測定し、それらの測定温度の差を、主軸３の温度上昇値として算出し、上記の如く算出された「切削工具１３の引き込み量」と対応付けて、記憶装置１０に記憶させる。
【００２８】
そして、主軸３を複数の回転速度で回転させて、上記の如く、主軸３のテーパ部Ｔｃの熱膨張による「切削工具１３の引き込み量」を繰り返し算出し、それらの測定工具１４の引き込み量と主軸３の温度上昇値とを対応付けて記憶装置１０に記憶させる。
【００２９】
＜測定工具１４の引き込み量の算出＞
一方、図３（ａ）の如く、主軸３を回転させる前に、主軸３の先端のテーパ部Ｔｃに測定工具１４を把持させて、当該測定工具１４の鍔面および主軸３の先端面の位置をミリメス等によって測定し、測定工具１４の鍔面と主軸３の先端面との間の距離を算出する（この場合の距離をＹｄとする）。
【００３０】
しかる後、測定工具１４を取り外した状態で、主軸３を所定の回転速度（たとえば、１２，０００ｍｉｎ−１）で温度が安定するまで回転させた後に、再度、測定工具１４を装着し、上記した方法と同様な方法によって、測定工具１４の鍔面と主軸３の先端面との間の距離（この場合の距離をＹｅとする）を求め、当該距離の変化量（すなわち、Ｙｄ−Ｙｅ）を、主軸３のテーパ部Ｔｃの熱膨張による「測定工具１４の引き込み量」として算出する。また、温度測定装置８による制御に基づいて、第１温度センサ６、第２温度センサ７によって、温度が安定した際の主軸３の温度およびベッド４の温度を、それぞれ測定し、それらの測定温度の差分を、主軸３の温度上昇値として算出し、上記の如く算出された「測定工具１４の引き込み量」と対応付けて、記憶装置１０に記憶させる。
【００３１】
そして、主軸３を複数の回転速度で回転させて、上記の如く、主軸３のテーパ部Ｔｃの熱膨張による「測定工具１４の引き込み量」を繰り返し算出し、それらの「測定工具１４の引き込み量」と主軸３の温度上昇値とを対応付けて記憶装置１０に記憶させる。
【００３２】
図４は、上記の如く求められた“主軸３の温度上昇値と「切削工具１３の引き込み量」との対応関係”、“主軸３の温度上昇値と「測定工具１４の引き込み量」との対応関係”を示したものである。かかるデータに基づいて、補正量演算装置９によって、主軸３の温度上昇値と「切削工具１３の引き込み量」との対応関係について、以下の近似式を得る。そして、かかる式１を、記憶装置１０に記憶させる。
切削工具１３の引き込み量（μｍ）＝ａ１×主軸温度上昇値（℃）・・・式１
なお、主軸３の温度上昇値と「切削工具１３の引き込み量」との対応関係が図４の通りである場合には、ａ１＝２．８４となる。
【００３３】
また、主軸３の温度上昇値と「測定工具１４の引き込み量」との対応関係について、以下の近似式を得る。そして、かかる式２を、記憶装置１０に記憶させる。
測定工具１４の引き込み量（μｍ）＝ａ２×主軸温度上昇値（℃）・・・式２
なお、主軸３の温度上昇値と「測定工具１４の引き込み量」との対応関係が図４の通りである場合には、ａ２＝３．５８となる。
【００３４】
そして、マシニングセンタＭにおいて切削工具１３の位置を補正する場合には、測定される主軸３の温度上昇値から、記憶装置１０内に記憶された式１によって、切削工具１３の「引き込み量」が算出され、当該「引き込み量」に基づいて、切削工具１３の位置補正が行われる。また、測定工具１４の位置を補正する場合には、測定される主軸３の温度上昇値から、記憶装置１０内に記憶された式２によって、測定工具１４の「引き込み量」が算出され、当該「引き込み量」に基づいて、測定工具１４の位置補正が行われる。
【００３５】
＜マシニングセンタＭにおける工具の位置補正＞
以下、上記した近似式（式１あるいは式２）を用いてマシニングセンタＭにおいて切削工具１３（あるいは測定工具１４）の位置補正を行う際の処理内容について、図５のフローチャートに基づいて説明する。当該位置補正処理においては、まず、ステップ（以下、単にＳで示す）１で、温度測定装置８による制御に基づいて、第１温度センサ６、第２温度センサ７が、それぞれ、主軸３およびベッド４の温度を測定する。しかる後、Ｓ２で、温度測定装置８によって、測定された各温度（アナログ信号）がデジタル化されて数値化され、それらの数値に基づいて、主軸３の温度上昇値が算出される。
【００３６】
続くＳ３では、主軸３に装着されている工具が切削工具１３であるか否かを、補正量演算装置９がＮＣ装置１１から情報を入手することによって判断する。そして、“ＹＥＳ”と判断された場合（すなわち、主軸３に切削工具１３が装着されていると判断された場合）には、Ｓ４で、工具の引き込み量を算出するための近似式として、記憶装置１０内から上記式１が呼び出される。一方、“ＮＯ”と判断された場合（すなわち、主軸３に測定工具１４が装着されていると判断された場合）には、Ｓ５で、工具の引き込み量を算出するための近似式として、記憶装置１０内から上記式２が呼び出される。
【００３７】
しかる後、Ｓ６で、上記Ｓ４あるいはＳ５において記憶装置１０内から呼び出された近似式を用いて、補正量演算装置９によって、工具の引き込み量を算出する。かかる引き込み量の算出値が、切削工具の位置を補正するための補正量として利用される。そして、続くＳ７で、ＮＣ装置１１によって、算出された補正量（すなわち、工具の引き込み量）だけ工具の位置が補正される。さらに、必要に応じて、上記した工具位置の補正（Ｓ１〜Ｓ７）が繰り返し実行される（Ｓ８）。
【００３８】
＜実施形態の工具位置補正方法による効果＞
上記実施形態の工具位置補正方法は、主軸３の回転に伴うテーパ部Ｔｃの熱膨張に起因した切削工具１３（あるいは測定工具１４）の引き込み量Ｘｂ−Ｘｃ（あるいはＹｄ−Ｙｅ）を正確に求めて、その引き込み量だけ工具位置を補正するものであるので、当該補正方法によれば、先端のテーパ部Ｔａのみを主軸３に把持させる切削工具１３（あるいは測定工具１４）においても、非常に高い精度で工具位置を補正することができる。
【００３９】
また、上記実施形態の工具位置補正方法は、切削工具１３と測定工具１４との二種類の工具について、それぞれ、主軸３のテーパ部Ｔｃの熱膨張に起因した引き込み量（Ｘｂ−ＸｃおよびＹｄ−Ｙｅ）を正確に求めて、その引き込み量だけ工具位置を補正するものであるので、当該補正方法によれば、主軸３のテーパ部Ｔｃの熱膨張による測定工具１４の引き込みに起因して生じていたワークの加工前の初期設定時におけるワーク原点位置のばらつきをも低減させることができる。
【００４０】
さらに、上記実施形態の工具位置補正方法は、主軸３の温度上昇がない状態における切削工具１３の引き込み量Ｘａ−Ｘｂと主軸３の温度上昇が安定したときの切削工具１３の引き込み量Ｘａ−Ｘｃとの差｜Ｘｂ−Ｘｃ｜を、熱膨張に起因した工具の引き込み量とするものであるので、当該補正方法によれば、きわめて高い精度で工具位置を補正することができる。
【００４１】
加えて、上記実施形態の工具位置補正方法は、予め求めた温度上昇値を変数とした引き込み変位量の近似式（式１あるいは式２）に基づいて温度上昇値に対応した工具（切削工具１３あるいは測定工具１４）の引き込み量を算出するものであるので、当該補正方法によれば、実績のない運転条件でマシニングセンタＭ（主軸３）を作動させる際の工具（切削工具１３あるいは測定工具１４）の補正量をも正確に推定することができる。
【００４２】
なお、本発明に係る工具位置補正方法の構成は、上記実施形態の態様に何ら限定されるものではなく、本発明の趣旨を逸脱しない範囲内で必要に応じて適宜変更することができる。また、本発明に係る工具位置補正方法を用いる工作機械も、上記実施形態の態様に何ら限定されず、必要に応じて適宜変更することができる。
【００４３】
たとえば、本発明に係る工具位置補正方法は、上記実施形態の如く、ベッドに設けた温度センサによって基準温度を測定するものに限定されず、ベッド以外の部位に設けた温度センサによって基準温度を測定するものでも良い。加えて、主軸に設けた温度センサの測定温度と予め設定された基準温度との差を温度上昇値として、熱膨張に起因した工具の引き込み量を算出するものでも良い。
【００４４】
また、本発明に係る工具位置補正方法は、上記実施形態の如く、測定された主軸の温度上昇値から常に近似式を用いて工具の引き込み量を求めるものに限定されず、主軸の温度上昇値が記憶装置に記憶されている「温度上昇値と引き込み量との対応データ」における温度上昇値と同一の場合には、当該データにおける「引き込み量」をそのまま用いて位置補正を行うものに変更することも可能である。
【産業上の利用可能性】
【００４５】
本発明に係る工具位置補正方法は、上記の如く優れた効果を奏するものであるから、各種の工作機械において、主軸テーパ部の熱膨張による引き込みに起因した工具位置のずれを補正するための方法として好適に用いることができる。
【符号の説明】
【００４６】
３・・主軸
４・・ベッド
６・・第一温度センサ
７・・第二温度センサ
９・・補正量演算装置
１０・・記憶装置
１１・・ＮＣ装置
１２・・主軸先端部
１３・・切削工具
１４・・測定工具
Ｍ・・マシニングセンタ
Ｔｃ・・テーパ部（主軸）
Ｔａ・・テーパ部（工具）
【図１】
2010172981.tif 000003
【図２】
2010172981.tif 000004
【図３】
2010172981.tif 000005
【図４】
2010172981.tif 000006
【図５】
2010172981.tif 000007
【図６】
2010172981.tif 000008
【図７】
2010172981.tif 000009